(57)【要約】      （修正有）【課題】電子化されたコンテンツ画像を、幼児などの視聴者に対して表示しつつ、芝居的パフォーマンスを行う語り手が、コンテンツのシナリオを視聴者に読み聞かせることが可能な電子紙芝居装置を提供する。【解決手段】筐体１０の第１の面１ａに配置された表面ディスプレイ１１と、筐体１０における第１の面１ａに対向する裏面に配置された裏面ディスプレイと、操作入力に応じて、テキスト情報に関連した画像情報を複数有するコンテンツ情報から、表面ディスプレイ１１に表示する画像情報を選択する押圧ボタン１３ａ、１３ｂと、押圧ボタン１３ａ、１３ｂにより選択された画像情報を表面ディスプレイ１１に表示するのと同時に、画像情報に関連したテキスト情報を裏面ディスプレイに表示する表示制御部とを備える。【選択図】図１
0003175900.tif 000002
【実用新案登録請求の範囲】
【請求項１】
筐体の第１の面に配置された第１の表示部と、
前記筐体における前記第１の面に対向する第２の面に配置された第２の表示部と、
操作入力に応じて、テキスト情報に関連した画像情報を複数有するコンテンツ情報から、前記第１の表示部に表示する画像情報を選択する操作入力部と、
前記操作入力部により選択された画像情報を前記第１の表示部に表示するのと同時に、該画像情報に関連したテキスト情報を前記第２の表示部に表示する表示制御部とを備える電子紙芝居装置。
【請求項２】
上記コンテンツ情報は、所定のページ順に従って並べられた複数の画像情報を有しており、
前記操作入力部は、操作入力に応じて、前記第１の表示部に表示されている画像情報のページの後続するページを選択することを特徴とする請求項１記載の電子紙芝居装置。
【請求項３】
前記操作入力部は、前記第１の面に配置された押圧ボタンであることを特徴とする請求項２記載の電子紙芝居装置。
【請求項４】
前記画像情報は、芝居の各シーンに対応した画像を示す情報であり、
前記画像情報に関連したテキスト情報は、該画像情報のシーンに対応したシナリオを示す情報であることを特徴とする請求項３記載の電子紙芝居装置。
【請求項５】
前記表示制御部は、前記第２の表示部に、前記第１の表示部に表示する画像情報の縮小画像を、該画像情報に関連したテキスト情報とともに表示することを特徴とする請求項１記載の電子紙芝居装置。
【請求項６】
前記第２の表示部は、前記第１の表示部に対して、画サイズが小さいことを特徴とする請求項１記載の電子紙芝居装置。
【請求項７】
前記コンテンツ情報が複数記憶された記憶部を更に備え、
前記操作入力部は、操作入力に応じて、前記記憶部に記憶された複数のコンテンツ情報から一のコンテンツ情報を選択するとともに、該選択したコンテンツ情報から、前記第１の表示部に表示する画像情報に対応するページを選択することを特徴とする請求項１記載の電子紙芝居装置。
【請求項８】
前記コンテンツ情報を読み込む読込部を更に備えることを特徴とする請求項１記載の電子紙芝居装置。
【請求項９】
操作入力に応じて、テキスト情報に関連した画像情報を複数有するコンテンツ情報から、電子紙芝居装置の筐体の第１の面に配置された第１の表示部に表示する画像情報を選択するステップと、
前記選択されたページの画像情報を前記第１の表示部に表示するのと同時に、該画像情報に関連したテキスト情報を、前記筐体における前記第１の面に対向する第２の面に配置された第２の表示部に表示するステップとを有する電子紙芝居装置の画像表示方法。
【考案の詳細な説明】
【技術分野】
【０００１】
本考案は、コンテンツ画像を、子供などの視聴者に対して表示しつつ、ユーザがコンテンツのシナリオを視聴者に読み聞かせ可能な電子紙芝居装置及び電子紙芝居装置の画像表示方法に関する。
【背景技術】
【０００２】
絵を見せながら演じ手が語って進める芝居的パフォーマンスである、いわゆる「紙芝居」は、幼稚園や保育園などの幼児教育機関の教材として広く行われている。
【０００３】
例えば、特許文献１には、事前にボード（頁）の順番を揃えたり、また、進行時には頁を入れ替えたりする必要がなく、幼稚園児や小学校低学年の児童でも容易に取り扱うことが可能な紙芝居装置が記載されている。また、特許文献２には、絵と文字を合わせて描かれた表示を有し、この文字の朗読を聞かせる電動紙芝居装置が記載されている。
【先行技術文献】
【特許文献】
【０００４】
【特許文献１】特開２００６−２９６８３４号公報
【特許文献２】特開２００７−２０９３７５号公報
【考案の概要】
【考案が解決しようとする課題】
【０００５】
上述した幼児教育機関では、従来から、紙芝居を演じるために必要な紙芝居の「厚紙用紙の束」を、タイトル毎に保管している。例えば、１タイトルの紙芝居は、通常、１０乃至２５枚のＡ３サイズの厚紙用紙から構成されている。
【０００６】
したがって、従来、幼児教育機関では、紙芝居のタイトルに対応する「厚紙用紙の束」を教材として保管するため、比較的大きな収納スペースを確保しなければならなかった。言い換えれば、従来、幼児教育機関では、「厚紙用紙の束」を収納するための収納スペースの確保が難しいため、保管可能な紙芝居のタイトル数が制限されていた。幼児教育機関では、例えば１０００以上のタイトルを販売用として提供されたカタログの中から、四半期毎に、新たに利用を希望する数種類のタイトルを選択して、各タイトルの紙媒体の紙芝居を注文しなければならなかった。
【０００７】
このような収納スペースを削減し、また、より容易に新たなタイトルの紙芝居を利用できるようにするため、紙芝居などのコンテンツ画像を電子化して、紙芝居などの芝居的パフォーマンスを提供することが望まれている。
【０００８】
また、このような電子化は、新たに発表された紙芝居コンテンツを、より少ない初期投資で利用でき、結果として、紙芝居コンテンツの選択肢が広がることで、紙芝居の実演が促進される。
【０００９】
さらに、このような電子化は、紙媒体のように、それぞれの言語に対応して全ての画像を再印刷する必要がないので、より経済的かつ実地に適して、コンテンツを各国に輸出することが期待される。
【００１０】
本考案は、このような実情に鑑みて提案されたものであり、電子化されたコンテンツ画像を、幼児などの視聴者に対して表示しつつ、芝居的パフォーマンスを行う語り手が、コンテンツのシナリオを視聴者に読み聞かせることが可能な電子紙芝居装置及びその画像表示方法を提供することを目的とする。
【課題を解決するための手段】
【００１１】
本考案に係る電子紙芝居装置は、筐体の第１の面に配置された第１の表示部と、筐体における第１の面に対向する第２の面に配置された第２の表示部と、操作入力に応じて、テキスト情報に関連した画像情報を複数有するコンテンツ情報から、第１の表示部に表示する画像情報を選択する操作入力部と、操作入力部により選択された画像情報を第１の表示部に表示するのと同時に、画像情報に関連したテキスト情報を前記第２の表示部に表示する表示制御部とを備える。
【００１２】
また、本考案に係る電子紙芝居装置の画像表示方法は、操作入力に応じて、テキスト情報に関連した画像情報を複数有するコンテンツ情報から、電子紙芝居装置の筐体の第１の面に配置された第１の表示部に表示する画像情報を選択するステップと、選択されたページの画像情報を第１の表示部に表示するのと同時に、画像情報に関連したテキスト情報を、筐体における第１の面に対向する第２の面に配置された第２の表示部に表示するステップとを有する。
【考案の効果】
【００１３】
本考案は、操作入力に応じて選択されたページの画像情報を第１の表示部に表示すると同時に、画像情報に関連したテキスト情報を、筐体における第１の面に対向する第２の面に配置された第２の表示部に表示する。
【００１４】
このようにして、本考案は、第１の表示部に、電子化されたコンテンツ画像を視聴者に対して表示しつつ、語り手が、第２の表示部に表示されたテキスト情報を視聴者に読み聞かせることで、紙芝居などの芝居的パフォーマンスを行うことができる。したがって、本考案は、収納スペースを削減する観点から、紙芝居などのコンテンツ画像を電子化して、紙芝居などの芝居的パフォーマンスを提供することができる。
【００１５】
さらに、本考案は、このような紙芝居などのコンテンツ画像を電子化することによって、新たに発表された紙芝居コンテンツを、より少ない初期投資で利用でき、結果として、紙芝居コンテンツの選択肢を広げ、紙芝居の実演を促進することができる。
また、本考案は、紙媒体のように、それぞれの言語に対応して全ての画像を再印刷する必要がないので、より経済的かつ実地に適して、コンテンツを各国に輸出することができる。
【図面の簡単な説明】
【００１６】
【図１】本考案が適用された電子紙芝居装置の使用例を示す図である。
【図２】本考案が適用された電子紙芝居装置の第１の面を示す図である。
【図３】本考案が適用された電子紙芝居装置の第２の面を示す図である。
【図４】本考案が適用された電子紙芝居装置が備える信号処理系の構成を示すブロック図である。
【図５】メモリカードスロットに挿入されたメモリカードに記憶されたコンテンツデータの具体例について説明するための図である。
【図６】表示制御部が行う動作について説明するためのフローチャートを示す図である。
【考案を実施するための形態】
【００１７】
本考案は、コンテンツ画像を視聴者に表示しつつ、この視聴者に対して、ユーザがコンテンツのシナリオを読み聞かせ可能な電子紙芝居装置に関する。
【００１８】
電子紙芝居装置１は、例えば図１に示すように、その筐体１０がユーザ２の両方の手２ａ、２ｂによって保持され、後述するように、筐体１０の第１の面１ａに表示される絵を視聴者に見せつつ、視聴者に読み聞かせる情報をユーザ２に提供する装置である。筐体１０は、ユーザ２が両方の手２ａ、２ｂによって容易に保持でき、容易に製造できるようにするため、例えば厚さが１ｃｍ以下のものが好ましい。また、筐体１０の第１の面１ａの内部には、画像処理用として、柔軟性と耐久性とに基づいて厚みが５ｍｍ以下のプリント基板を組み込むことが好ましい。
【００１９】
このような筐体１０の第１の面１ａには、図２に示すように表面ディスプレイ１１が中央に配置されている。表面ディスプレイ１１は、後述するように、芝居の各シーンに対応した画像を表示する。特に、表面ディスプレイ１１は、既存の紙芝居のような芝居パフォーマンスを可能とするため、例えば、４０ｃｍ×３０ｃｍ程度、又は、Ａ３用紙に相当する画サイズであってカラー表示可能なディスプレイが好ましい。表面ディスプレイ１１をこのようなサイズを選択することで、１０人以上の子供が、数ｍ離れた場所から紙芝居をみることができる。
【００２０】
このような表面ディスプレイ１１には、例えば電子ペーパーディスプレイを用いることが好ましい。電子ペーパーディスプレイは、非常に薄くて軽く、持ち運びが容易な大型スクリーンデバイスである。また、電子ペーパーディスプレイは、液晶ディスプレイに比べてより鋭角に折り曲げ可能であり、衝撃に強く防水性もある。電子ペーパーディスプレイは、従来の紙のように視野角が広く、印刷のように高精細である。また電子紙芝居装置１は、電子ぺーバーデバイスを表面ディスプレイ１１に用いると、液晶表示ディスプレイに比べて省電力化を図れ、長時間バッテリ駆動できる点で特に好ましい。
【００２１】
また、筐体１０の第１の面１ａの、表面ディスプレイ１１を囲むフレーム１０ａには、表面ディスプレイ１１に表示する画像の選択などを操作する押圧ボタン１３ａ、１３ｂと、電源管理や設定などを操作する押圧ボタン１４とが設けられている。
【００２２】
押圧ボタン１３ａ、１３ｂは、ユーザ２からの押圧操作を受ける操作入力部である。押圧ボタン１３ａ、１３ｂは、後述するテキスト情報に関連した画像情報を複数有するコンテンツ情報から、表面ディスプレイ１１に表示する画像情報を選択する操作入力部として機能する。例えば、押圧ボタン１３ａ、１３ｂは、表面ディスプレイ１１に表示されている画像を、紙芝居のストーリに対応したページ番号ｐに従って変更させる操作入力を受ける。また、押圧ボタン１３ａ、１３ｂは、表面ディスプレイ１１に表示されている紙芝居のタイトルのリストから、所望とするタイトルを選択する操作入力を受ける。押圧ボタン１３ａ、１３ｂは、図１及び図２に示すように、表示ディスプレイ１１の走査方向を基準として、それぞれフレーム１０ａの左側面部１０ａ１と右側面部１０ａ２に配置される。このような配置により、押圧ボタン１３ａ、１３ｂは、フレーム１０ａの左側面部１０ａ１と右側面部１０ａ２とがユーザ２の手２ａ、２ｂで保持されることで、容易に表面ディスプレイ１１に表示されている画像をページ番号ｐに従って変更することができる。
【００２３】
また、押圧ボタン１４は、電源管理や設定などを操作する操作入力手段として用いられ、例えばフレーム１０ａの下側面部１０ａ４に配置される。例えば押圧ボタン１４は、所定時間以上押し続けること、いわゆる長押しをすることによって電源のオンオフを操作する。また、押圧ボタン１４は、上記の長押し以外の押圧操作によって、設定や確認などの操作入力を受ける。
【００２４】
なお、操作ボタン１３ａ、１３ｂ、１４は、上述した配置位置に限定されることなく、フレーム１０ａの左側面部１０ａ１、右側面部１０ａ２、上側面部１０ａ３、及び、下側面部１０ａ４のいずれかに設けてもよい。また、操作ボタン１３ａ、１３ｂ、１４は、第１の面１０ａに限定されず、筐体１０のいかなる場所に設けてもよい。
【００２５】
また、電子紙芝居装置１は、筐体１０の側壁部１０ｂに、外部入出力端子１５が設けられている。外部入出力端子１５は、電源ケーブルと、画像データなどを伝送する信号伝送ケーブルと接続される。
【００２６】
第１の面１ａと対向する第２の面１ｂには、図３に示すように、裏面ディスプレイ１２が中央に配置されている。裏面ディスプレイ１２は、後述するように、表面ディスプレイ１１に表示される画像に関連したテキストを表示する。言い換えれば、裏面ディスプレイ１２は、表面ディスプレイ１１に表示される画像のシーンに対応したシナリオを表示する。当該電子紙芝居装置１の製造コストに制約がある場合、裏面ディスプレイ１２は、上述した表面ディスプレイ１１に対して、画サイズが小さいディスプレイを用いる。裏面ディスプレイ１２は、視聴者に対してユーザ２が読み聞かせ可能なテキスト情報を表示すればよく、省電力化と省スペース化との観点から見ても、上述した表面ディスプレイ１１に対して、画サイズが小さいディスプレイを用いることが好ましい。
【００２７】
なお、製造コストに制約がない場合には、裏面ディスプレイ１２は、上述した表面ディスプレイ１１と同様の画サイズのディスプレイを用いることが好ましい。
【００２８】
また、裏面ディスプレイ１２は、カラー表示可能な液晶表示デバイスでも、モノクロ表示の電子ペーパーディスプレイでもよい。特に、裏面ディスプレイ１２は、視聴者に対してユーザ２が読み聞かせ可能なテキスト情報を表示すればよいため、カラー表示可能な液晶表示デバイスと比べて、モノクロ表示のディスプレイを用いることが省電力化とコストの観点から好ましい。
【００２９】
なお、裏面ディスプレイ１２は、テキスト情報とともに、表面ディスプレイ１１に表示する画像情報の縮小画像をサムネイル表示してもよい。このようなサムネイル表示をする場合、裏面ディスプレイ１２は、表面ディスプレイ１１と同様の画サイズであって、カラー表示可能なディスプレイを用いることが好ましい。
【００３０】
また、第２の面１ｂの、裏面ディスプレイ１２を囲むフレーム１０ｂには、ボタン電池が着脱可能に取り付けられる取付カバー１６と、メモリカードが着脱可能に挿入されるメモリカードスロット１７とが設けられている。
【００３１】
さらに、電子紙芝居装置１は、上述した表面ディスプレイ１１と裏面ディスプレイ１２とにそれぞれ画像を表示するため、図４に示すような処理部を筐体１０内部に備える。すなわち、電子紙芝居装置１は、当該電子紙芝居装置１を駆動するバッテリ１８と、紙芝居に関するデータがタイトル毎に記憶されたデータ記憶部１９と、表面ディスプレイ１１と裏面ディスプレイ１２とのそれぞれの表示を制御する表示制御部２０とを備える。
【００３２】
バッテリ１８は、当該電子紙芝居装置１を駆動する電力を各部に供給する。バッテリ１８は、再充電可能な二次電池であっても使い切りタイプの一次電池でもよい。再充電可能な場合、バッテリ１８は、外部入出力端子と接続された外部電源からの供給電力によって充電される。また、上述したように、厚さ１ｃｍ以下の筐体１０の第１の面１ａの内部には、厚さが５ｍｍ以下のプリント基板が組み込まれる。このため、バッテリ１８として、例えば、筐体１０内部における表面ディスプレイ１１と裏面ディスプレイ１２との間に挿入可能なスペースに厚さが１ｍｍ以下程度の、交換可能な超薄型バッテリを用いることが特に好ましい。また、バッテリ１８として、太陽電池パネルを用いることが可能であり、この場合には、表面ディスプレイ１１の上部に組み込むことが特に好ましい。
【００３３】
データ記憶部１９は、表面ディスプレイ１１及び裏面ディスプレイ１２に表示する設定画面などの画像データを記憶している。なお、データ記憶部１９は、外部入出力端子１５から入力された画像データや、メモリカードスロット１７に挿入されたメモリカードから読み出した画像データを一時的に記憶してもよい。また、データ記憶部１９は、予め紙芝居用のコンテンツデータを記憶していてもよい。
【００３４】
表示制御部２０は、電子リーダタブレットのような、既に市場販売されている標準的なマイクロコントローラや、より好ましくはＡＳＩＣが用いられる。表示制御部２０は、押圧ボタン１３ａ、１３ｂにより選択された画像情報を表面ディスプレイ１１に表示するのと同時に、この画像情報に関連したテキスト情報を裏面ディスプレイに表示する。
【００３５】
具体例として、メモリカードスロット１７に挿入されたメモリカードは、図５に示すような画像情報群３０と、画像情報３０に関連するテキスト情報群４０とから構成されるコンテンツデータ３を記憶しているものとする。ここで、画像情報群３０は、紙芝居の絵柄に相当する複数の画像データからなり、図５に示すように、ストーリーにあわせてページ番号ｐ順に並んだｎ枚（ｎは自然数）の画像データ３１、３２、３３、・・・、３ｎからなる。また、テキスト情報群４０は、紙芝居のシナリオに相当する複数のテキストデータからなり、図５に示すように、ストーリーにあわせてページ番号ｐ順に並んだｎ枚（ｎは自然数）のテキストデータ４１、４２、４３、・・・、４ｎからなる。各画像データ３ｎで示される絵柄と、テキストデータ４ｎで示されるシナリオとが互いに関連づけられている。ページ番号ｐは、１からｎまでとなっている。
【００３６】
表示制御部２０は、このように絵柄とシナリオとが関連づけられたコンテンツデータ３を、メモリカードスロット１７に挿入されたメモリカードから読み込み、押圧ボタン１３ａ、１３ｂの操作入力に応じて、表面ディスプレイ１１及び裏面ディスプレイ１２に表示する。すなわち、表示制御部２０は、画像データ３ｎを表示ディスプレイ１１に表示すると同時に、テキストデータ４ｎを裏面ディスプレイ１２に表示する。
【００３７】
具体的に、表示制御部２０は、図６に示すようなフローチャートに従って、表示ディスプレイ１１及び裏面ディスプレイ１２を制御する。
【００３８】
まず、開始状態において、表示制御部２０は、例えば、操作ボタン１３ａ、１３ｂ、１４による操作入力により、複数のコンテンツデータ３の中から、一のコンテンツデータ３を選択しているものとする。
【００３９】
ステップＳＴ１において、表示制御部２０は、選択しているコンテンツデータ３のページ番号ｐを１に設定する。
【００４０】
ステップＳＴ２において、表示制御部２０は、ページ番号ｐがｎ＋１であるか否かを判断する。すなわち、表示制御部２０は、ページ番号ｐが、当該コンテンツデータ３の最後のページ番号であるｎの次の番号であるか否かを判断する。ページ番号ｐがｎ＋１のときは当該処理を終了し、ページ番号ｐがｎ＋１ではないときはステップＳＴ３に進む。
【００４１】
ステップＳＴ３において、表示制御部２０は、コンテンツデータ３の中から、ページ番号ｐに対応する画像データを表面ディスプレイ１１に表示すると同時に、ページ番号ｐに対応するテキストデータを表示する。
【００４２】
ステップＳＴ４において、表示制御部２０は、ユーザ２により、押圧ボタン１３ａ又は押圧ボタン１３ｂによる押圧操作がされたかどうかを判断する。ここで、押圧ボタン１３ａ又は押圧ボタン１３ｂによる押圧操作があるまで、当該ステップＳＴ４を所定時間繰り返し行う。押圧ボタン１３ａの押圧操作があるとステップＳＴ５に進み、押圧ボタン１３ｂの押圧操作があるとステップＳＴ６に進む。
【００４３】
ステップＳＴ５において、表示制御部２０は、ページ番号ｐをｐ＝ｐ＋１に更新して、ステップＳＴ２に戻る。このようにして、押圧ボタン１３ａは、押圧操作に応じて、表面ディスプレイ１１に表示されている画像情報の後続するページを選択する。
【００４４】
ステップＳＴ６において、表示制御部２０は、ページ番号ｐをｐ＝Ｐ−１に更新して、ステップＳＴ２に戻る。このようにして、押圧ボタン１３ａは、押圧操作に応じて、表面ディスプレイ１１に表示されている画像の直前のページを選択する。
【００４５】
表示制御部２０は、以上のようなステップＳＴ１からＳＴ６に従って、ユーザ２からの操作入力に応じて、表面ディスプレイ１１及び裏面ディスプレイ１２に表示する画像を変化させる。
【００４６】
また、表示制御部２０は、操作に関するログ又は記録を暗号化してデータ記憶部１９に記憶しておき、あるタイトルのコンテンツを何回表示したり、いつ表示したりしたかを著作権保護のため、ＤＲＭ用の情報として管理することができる。
【００４７】
また、表示制御部２０は、押圧ボタン１３ａ、１３ｂに押圧操作があったときに、表面ディスプレイ１１に表示されている画像データを単純に切り替えても良いが、視聴者に対して紙芝居特有の表示演出をするために、次のような表示制御を行うようにしてもよい。
【００４８】
例えば、表示制御部２０は、画面を切り替えるときに、操作ボタン１３ａ、１３ｂの押圧状態が保持されているときのみ、操作ボタン１３ａ、１３ｂの配置位置に対応する方向に画面がスライドしながら切り替わるようにしてもよい。さらに、表示制御部２０は、押圧ボタン１３ａ、１３ｂが押圧されているときだけ対応する方向に画面をスライドして、押圧されなくなると、切替前の表示に戻るようにしてもよい。このようにして、表示制御部２０は、押圧ボタン１３ａ、１３ｂの押圧状態に応じて、画面の切り替え時にアニメーション効果を用いることで、従来の紙媒体をスライドさせて切り替える紙芝居特有のパフォーマンスをユーザ２が行うことができる。
【００４９】
以上のような構成からなる電子紙芝居装置１は、従来の紙芝居に比べて、多量の紙媒体を用いないので、環境に優しく、コスト効率が高い。すなわち、電子紙芝居装置１は、収納スペースを削減する観点から、紙芝居などのコンテンツ画像を電子化して、紙芝居などの芝居的パフォーマンスを提供することができる。
【００５０】
また、電子紙芝居装置１に用いられる紙芝居のコンテンツを電子化することによって、新たな紙芝居のコンテンツの作成を推進し、紙芝居を構成する教育上の様々な要素が促進されることとなる。具体的に、電子紙芝居装置１は、新たに発表された紙芝居コンテンツを、より少ない初期投資で利用でき、結果として、このようなコンテンツの選択肢を広げ、紙芝居の実演を促進することができる。
さらに、電子紙芝居装置１、紙媒体のように、それぞれの言語に対応して全ての画像を再印刷する必要がないので、より経済的かつ実地にあうように限定的して、コンテンツを各国に輸出することができる。
【符号の説明】
【００５１】
１  電子紙芝居
１ａ  第１の面
１ｂ  第２の面
１１  表面ディスプレイ
１２  裏面ディスプレイ
１３ａ、１３ｂ、１４  押圧ボタン
１９  表示制御部
【図１】
0003175900.tif 000003
【図２】
0003175900.tif 000004
【図３】
0003175900.tif 000005
【図４】
0003175900.tif 000006
【図５】
0003175900.tif 000007
【図６】
0003175900.tif 000008
【手続補正書】
【提出日】平成24年3月16日(2012.3.16)
【手続補正１】
【補正対象書類名】実用新案登録請求の範囲
【補正対象項目名】全文
【補正方法】変更
【補正の内容】
【実用新案登録請求の範囲】
【請求項１】
筐体の第１の面に配置された第１の表示部と、
前記筐体における前記第１の面に対向する第２の面に配置された第２の表示部と、
操作入力に応じて、テキスト情報に関連した画像情報を複数有するコンテンツ情報から、前記第１の表示部に表示する画像情報を選択する操作入力部と、
前記操作入力部により選択された画像情報を前記第１の表示部に表示するのと同時に、該画像情報に関連したテキスト情報を前記第２の表示部に表示する表示制御部とを備える電子紙芝居装置。
【請求項２】
上記コンテンツ情報は、所定のページ順に従って並べられた複数の画像情報を有しており、
前記操作入力部は、操作入力に応じて、前記第１の表示部に表示されている画像情報のページの後続するページを選択することを特徴とする請求項１記載の電子紙芝居装置。
【請求項３】
前記操作入力部は、前記第１の面に配置された押圧ボタンであることを特徴とする請求項２記載の電子紙芝居装置。
【請求項４】
前記画像情報は、芝居の各シーンに対応した画像を示す情報であり、
前記画像情報に関連したテキスト情報は、該画像情報のシーンに対応したシナリオを示す情報であることを特徴とする請求項３記載の電子紙芝居装置。
【請求項５】
前記表示制御部は、前記第２の表示部に、前記第１の表示部に表示する画像情報の縮小画像を、該画像情報に関連したテキスト情報とともに表示することを特徴とする請求項１記載の電子紙芝居装置。
【請求項６】
前記第２の表示部は、前記第１の表示部に対して、画サイズが小さいことを特徴とする請求項１記載の電子紙芝居装置。
【請求項７】
前記コンテンツ情報が複数記憶された記憶部を更に備え、
前記操作入力部は、操作入力に応じて、前記記憶部に記憶された複数のコンテンツ情報から一のコンテンツ情報を選択するとともに、該選択したコンテンツ情報から、前記第１の表示部に表示する画像情報に対応するページを選択することを特徴とする請求項１記載の電子紙芝居装置。
【請求項８】
前記コンテンツ情報を読み込む読込部を更に備えることを特徴とする請求項１記載の電子紙芝居装置。
【請求項９】
前記第１の表示部と前記第２の表示部との間に配置された薄型バッテリを更に備えることを特徴とする請求項１記載の電子紙芝居装置。
【手続補正３】
【補正対象書類名】明細書
【補正対象項目名】０００１
【補正方法】変更
【補正の内容】
【０００１】
本考案は、コンテンツ画像を、子供などの視聴者に対して表示しつつ、ユーザがコンテンツのシナリオを視聴者に読み聞かせ可能な電子紙芝居装置に関する。
【手続補正４】
【補正対象書類名】明細書
【補正対象項目名】００１０
【補正方法】変更
【補正の内容】
【００１０】
本考案は、このような実情に鑑みて提案されたものであり、電子化されたコンテンツ画像を、幼児などの視聴者に対して表示しつつ、芝居的パフォーマンスを行う語り手が、コンテンツのシナリオを視聴者に読み聞かせることが可能な電子紙芝居装置を提供することを目的とする。
【手続補正５】
【補正対象書類名】明細書
【補正対象項目名】００１２
【補正方法】削除
【補正の内容】